(57)【要約】【課題】火災発生時に高温に晒されても、枠体の崩壊及び隙間の発生を防止することのできる構造の簡単なサッシを提供する。【解決手段】上枠１０と下枠１１及び左右の縦枠１２，１２を枠組みしてなる枠体１を有し、下枠１１と縦枠１２はそれぞれ長手方向に沿う中空部１１ｃ，１２ａを有し、下枠１１の中空部１１ｃには下補強材４５が設けられ、縦枠１２の中空部１２ａには縦補強材４０が設けられ、縦補強材４０と下補強材４５が連結されてなる。【選択図】図５
2014077329.tif 000002
【特許請求の範囲】
【請求項１】
上枠と下枠及び左右の縦枠を枠組みしてなる枠体を有するサッシにおいて、
前記下枠と縦枠はそれぞれ長手方向に沿う中空部を有し、前記下枠の中空部には下補強材が設けられ、前記縦枠の中空部には縦補強材が設けられ、該縦補強材と前記下補強材が連結されてなることを特徴とするサッシ。
【請求項２】
前記上枠は扉体を支持すると共に巻き上げて収納自在な収納部を有し、前記縦枠の中空部のうち前記上枠と隣接する領域には、前記上枠を固定する裏板部材が設けられ、該裏板部材と前記縦補強材とが連結されてなることを特徴とする請求項１記載のサッシ。
【請求項３】
前記縦枠には前記扉体の左右端部を上下方向に案内するガイドレール部材が取付けられ、該ガイドレール部材は長手方向に沿う中空部を有すると共に、該中空部内にガイドレール補強材が設けられることを特徴とする請求項２記載のサッシ。
【発明の詳細な説明】
【技術分野】
【０００１】
本発明は、建物開口部に設けられる枠体を有したサッシに関し、特に火災発生時にも枠体が脱落することを防止して防火性能を高くしたサッシに関する。
【背景技術】
【０００２】
建物開口部に設けられる枠体を有したサッシにおいて、高い防火性能を求められる場合がある。枠体は、内側に障子を納めてなるものや、上枠に巻回自在な扉体を納める収納部を設けてシャッター付サッシを構成するものなどがある。サッシの枠体はアルミ材からなるため、火災発生時の高温に晒されると、軟化、溶融する。防火性能の高いサッシにあっては、そのような場合であっても枠体の崩壊を防止することが必要となる。
【０００３】
このため、従来の防火性能を高くしたサッシは、枠体にアルミ材を用いずに溶融点の高いスチール材を採用したり、あるいはアルミ材の肉厚を厚くして、枠体の崩壊を防止するようにしていた。しかし、このような対策では、防火性能を高くしたサッシが一般的なサッシと材料及び構造の点で大きく相違することとなり、コストが高くなってしまうという問題があった。また、別の手段としては、アルミ材の中空内部にスチール製などの補強材を設けるものも知られている。このようなサッシとしては、例えば特許文献１に挙げるようなものがある。
【先行技術文献】
【特許文献】
【０００４】
【特許文献１】実用登録第２５６４２７１号公報
【発明の概要】
【発明が解決しようとする課題】
【０００５】
しかし、単にアルミ材の中空内部に補強材を設けるだけでは、四周に枠組みされた枠体の崩壊を十分に防止することは困難であった。また、枠体を構成する縦枠と下枠は、縦枠の側面が下枠の端面に突き合わされて連結固定されているが、火災発生時には連結部分が変形し、縦枠と下枠の間に隙間を生じる可能性があった。縦枠と下枠の間に隙間を生じると、火炎が隙間から侵入するおそれがあり、防火性能を低下させることとなっていた。
【０００６】
本発明は前記課題を鑑みてなされたものであり、火災発生時に高温に晒されても、枠体の崩壊及び隙間の発生を防止することのできる構造の簡単なサッシを提供することを目的とする。
【課題を解決するための手段】
【０００７】
前記課題を解決するため、請求項１の発明に係るサッシは、上枠と下枠及び左右の縦枠を枠組みしてなる枠体を有するサッシにおいて、
前記下枠と縦枠はそれぞれ長手方向に沿う中空部を有し、前記下枠の中空部には下補強材が設けられ、前記縦枠の中空部には縦補強材が設けられ、該縦補強材と前記下補強材が連結されてなることを特徴として構成されている。
【０００８】
請求項１に係る発明によれば、枠体の中空部内に三方に渡って補強材が連結されているので、火災発生時に枠体を構成する枠材が軟化しても、補強材によって枠体の崩壊や枠材の変形を抑えることができる。
【０００９】
また、請求項２の発明に係るサッシは、前記上枠は扉体を支持すると共に巻き上げて収納自在な収納部を有し、前記縦枠の中空部のうち前記上枠と隣接する領域には、前記上枠を固定する裏板部材が設けられ、該裏板部材と前記縦補強材とが連結されてなることを特徴として構成されている。
【００１０】
請求項２に係る発明によれば、縦枠のうち収納部の側部を構成する部分においても、縦枠下部と連続して強度を大きくすることができ、火災発生時に収納部及び上枠の崩壊を防止することができる。
【００１１】
さらに、請求項３の発明に係るサッシは、前記縦枠には前記扉体の左右端部を上下方向に案内するガイドレール部材が取付けられ、該ガイドレール部材は長手方向に沿う中空部を有すると共に、該中空部内にガイドレール補強材が設けられることを特徴として構成されている。
【００１２】
請求項３に係る発明によれば、ガイドレール部材について強度を大きくすると共に、火災発生時の変形や崩壊を防止することができる。
【発明の効果】
【００１３】
本発明に係るサッシによれば、枠体の縦辺と下辺に渡る構造体によって縦枠と下枠が支持されることにより、火災発生時に高温に晒されても、枠体の崩壊を防止すると共に、縦枠と下枠の間に隙間が発生することを防止できる。
【図面の簡単な説明】
【００１４】
【図１】本実施形態におけるシャッター付サッシの縦断面図である。
【図２】本実施形態におけるシャッター付サッシの横断面図である。
【図３】下補強材の斜視図である。
【図４】縦補強材の斜視図である。
【図５】縦補強材及び裏板部材を納めた縦枠と上枠及び下枠との分解斜視図である。
【発明を実施するための形態】
【００１５】
本発明の実施形態について図面に沿って詳細に説明する。本実施形態では、サッシとしてシャッター付サッシについて説明する。図１には本実施形態におけるシャッター付サッシの縦断面図を、図２には本実施形態におけるシャッター付サッシの横断面図を、それぞれ示している。これら各図に示すように、本実施形態のシャッター付サッシは、箱状を有する収納部２を有する上枠１０と下枠１１及び左右の縦枠１２，１２を方形状に枠組みした枠体１を有してなるものであり、この枠体１が建物開口部の室外側部分に取付けられる。
【００１６】
収納部２は、上面２０と下面２１及び側面２２を有しており、側面２２には巻き取り軸２３が回動自在に取付けられていて、多数のスラット３０を上下方向に連結してなる扉体３を巻回可能としており、収納部２内に扉体３を収納可能となるように構成されている。扉体３は、収納部２の下部に形成された開口部２４から下方に引き出し自在となっている。なお、図１は扉体３を引き出して全閉とした状態を表している。
【００１７】
収納部２を有する上枠２０は、上面２０を構成する上側部材１５と、下面２１を構成する下側部材１６とを有し、収納部２はさらに、側面２２を構成する側面部材１８と、上側部材１５から収納部２の室外側面を構成するカバー部材１７と、上側部材１５と下側部材１６の間に設けられて収納部２の室内側面を構成する背面部材１９とを有している。これらカバー部材１７と上側部材１５、背面部材１９及び下側部材１６によって、巻き取り軸２３を取り囲むように空間状の収納部２が形成される。
【００１８】
縦枠１２の室外側には、扉体３の左右端部を上下方向に案内するガイドレール部材１３が設けられている。ガイドレール部材１３は、扉体３の左右端部を納めて案内する凹状の案内部１３ａを有している。扉体３の下端部には、ガイドレール部材１３間の略全長に渡る幅を有した幅木部材３１が設けられる。幅木部材３１は、面状に形成された室外面部３１ａの室外側に、逆Ｌ字状に突出する一体的な把手部３１ｂを有している。
【００１９】
下枠１１の室外側部には、幅木部材３１を納めることができる凹状の溝部１１ａが形成されている。幅木部材３１を枠体１の下端部に配置することで、幅木部材３１が溝部１１ａに納められると共に、溝部１１ａを構成する下枠１１の室外側面１１ｂを、幅木部材３１の把手部３１ｂが跨いだ状態となる。
【００２０】
図１に示すように、下枠１１には溝部１１ａの室内側に中空部１１ｃが形成されている。この中空部１１ｃ内には長手方向に沿ってスチール製の下補強材４５が納められている。下補強材４５は、断面略コ字状をなしており、下枠１１の中空部１１ｃの室外端部側に配置されて、下枠１１の下面側から固定されている。
【００２１】
図２に示すように、縦枠１２にはガイドレール部材１３より室内側に中空部１２ａが形成されている。この中空部１２ａ内には長手方向に沿ってスチール製の縦補強材４０が納められている。縦補強材４０は、中空部１２ａの内面形状に沿う断面略コ字状に形成されており、縦枠１２の外周側から下枠１１や上枠１０と共に固定される。
【００２２】
図３には、下補強材４５の斜視図を示している。この図に示すように、下補強材４５は、長手方向に同断面形状を有してなると共に、両端部にはそれぞれ固定部材４６，４６が固定されている。この固定部材４６によって縦補強材４０との連結がなされる。
【００２３】
図４には、縦補強材４０の斜視図を示している。縦補強材４０は、縦枠１２のうち上枠１０よりも下部の部分に設けられる。縦枠１２のうち上枠１０に隣接する部分については、縦補強材４０の上方に連結される裏板部材４１が設けられ、縦枠１２の中空部１２ａ内に納められる。
【００２４】
縦補強材４０は、下端部に下枠１１及び下補強材４５と連結される下端固定部４０ａを有し、上端部に上枠１０及び裏板部材４１と連結される上端固定部４０ｂを有している。裏板部材４１は、縦補強材４０よりもやや小さい幅に形成されていて、下端部には縦補強材４０の上端固定部４０ｂに固定される下端固定部４１ａを有している。
【００２５】
図５には、縦補強材４０及び裏板部材４１を納めた縦枠１２と上枠１０及び下枠１１との分解斜視図を示している。この図に示すように、下補強材４５を中空部１１ｃに納めた下枠１１の端部位置には、下補強材４５に固定された固定部材４６が配置される。下枠１１の端面に対して縦枠１２の内周面が突き当てられると共に、縦枠１２の外周側から縦枠１２と下枠１１とがネジ止め固定される。このとき、縦枠１２内の縦補強材４０の下端固定部４０ａと下補強材４５の固定部材４６とが共締めされることにより、縦補強材４０と下補強材４５とが連結される。
【００２６】
図５では一方の縦枠１２のみ示しているが、他方の縦枠１２でも同様に、縦補強材４０と下補強材４５とが連結される。したがって、左右の縦補強材４０，４０と下補強材４５とが、枠体１内で三方に連結されることとなる。縦補強材４０と下補強材４５が三方に連結されているので、補強材の構造体としての強度を大きくすることができる。このため、火災が発生してサッシが高温に晒され、枠体１を構成する各枠材が軟化した場合にも、スチール製の縦補強材４０や下補強材４５は強度を保つことができ、これらが三方に連結されていることで各枠材を支持し、枠体１の崩壊を防止することができる。
【００２７】
上枠１０を構成する下側部材１６は、端面が縦枠１２の内周面に突き当てられる。下側部材１６の端面が突き当てられるのは、縦枠１２内において縦補強材４０と裏板部材４１とが連結される部分であって、縦枠１２の外周側から縦枠１２と縦補強材４０、裏板部材４１及び下側部材１６が、共にネジ止め固定される。また、上枠１０を構成する上側部材１７は、端面が縦枠１２の上端部に突き当てられ、縦枠１２の外周側からネジ止め固定される。
【００２８】
このように、上枠１０と隣接する縦枠１２の中空部１２ａ内に、縦補強材４０と連結される裏板部材４１を設けたことで、収納部２が設けられる部分において縦枠１２の強度を大きくすることができる。また、火災発生時にも、縦補強材４０と共に縦枠１２の変形などを抑えることができる。
【００２９】
図２に示すように、ガイドレール部材１３には、案内部１３ａの室外側に長手方向に沿う中空部１３ｂを有している。ガイドレール部材１３の中空部１３ｂには、スチール製のガイドレール補強材４７が納められている。ガイドレール補強材４７は、中空部１３ｂの内面形状に略沿う断面略コ字状に形成されており、中空部１３ｂの室内側からネジ止め固定されている。
【００３０】
このように、ガイドレール部材１３の中空部１３ｂにガイドレール補強材４７を設けたことで、ガイドレール部材１３の強度を大きくすると共に、火災発生時にはガイドレール部材１３の変形などを抑えることができる。
【００３１】
以上、本発明の実施形態について説明したが、本発明の適用は本実施形態には限られず、その技術的思想の範囲内において様々に適用されうるものである。
【符号の説明】
【００３２】
１    枠体
２    収納部
３    扉体
１０    上枠
１１    下枠
１１ｂ  中空部
１２    縦枠
１２ａ  中空部
１３    ガイドレール部材
１３ｂ  中空部
１５    上側部材
１６    下側部材
２３    巻き取り軸
２４    開口部
３０    スラット
３１    幅木部材
４０    縦補強材
４１    裏板部材
４５    下補強材
４６    固定部材
４７    ガイドレール補強材
【図１】
2014077329.tif 000003
【図２】
2014077329.tif 000004
【図３】
2014077329.tif 000005
【図４】
2014077329.tif 000006
【図５】
2014077329.tif 000007